(57)【要約】【課  題】外出先から一台目の携帯電話機を用いて、遠隔操作で二台目の携帯電話機で受信された未読メールを転送して確認する場合、上記従来の携帯電話機では受信メールの量が多いと効率的にメール内容の確認ができないという課題がある。【解決手段】メール受信手段と、受信メール中にコマンド宣言文があるか否かを判定する判定手段と、この判定手段による判定が肯定的であった場合に前記コマンド宣言文に続く特定コマンドを抽出し、解釈する手段と、前記特定コマンドが対象物のリスト作成であった場合、自メモリ内の該当する対象物のリストを作成する作成手段と、この作成手段により作成されたリストをメール本文とし、要求者を宛先とするメールを作成し発信するメール送信手段とを備える。【選択図】        図９
2005027057.tif 000002
【特許請求の範囲】
【請求項１】
メールを送受信する端末装置であって、
メール受信手段と、
受信メール中にコマンド宣言文があるか否かを判定する判定手段と、
この判定手段による判定が肯定的であった場合に前記コマンド宣言文に続く特定コマンドを抽出し、解釈する手段と、
前記特定コマンドが対象物のリスト作成であった場合、自メモリ内の該当する対象物のリストを作成する作成手段と、
この作成手段により作成されたリストをメール本文とし、要求者を宛先とするメールを作成し発信するメール送信手段と、を備えることを特徴とする端末装置。
【請求項２】
前記コマンド宣言文にパスワードが付帯し、
前記判定手段が肯定的であった場合、前記パスワードを検出し、自端末所有のパスワードと比較する比較手段と、
比較の結果パスワードが一致した場合に前記特定コマンドを抽出し、解釈する手段の処理を許可する許可手段と、を備えることを特徴とする請求項１記載の端末装置。
【請求項３】
前記コマンド宣言文は、メール文書とは異なるユニークな文字列であり、前記特定コマンドは、対象物の格納場所、対象物の種類、実行すべき処理からなる命令行であることを特徴とする請求項１または２に記載の端末装置。
【請求項４】
前記対象物は受信メール、送信メール、スケジュール、画像、電話帳、音声着信履歴、音声発信履歴のいずれかであることを特徴とする請求項３記載の端末装置。
【請求項５】
前記要求者が前記メールのリストを確認して再送信してきた特定コマンドが前記リスト中の特定物の送信要求であった場合、自メモリ内の該当する対象物から送信要求された特定物を読み出し、読み出された特定物をメール本文とし、要求者を宛先とするメールを作成して送信することを特徴とする請求項１記載の端末装置。
【請求項６】
前記要求者が前記メールのリストを確認して再送信してきた特定コマンドが前記リスト中の特定物の削除要求であった場合、自メモリ内の該当する対象物から削除要求された特定物を削除することを特徴とする請求項１記載の端末装置。
【請求項７】
前記削除が完了した旨を示す内容を本文とし、要求者を宛先とするメールを作成して送信することを特徴とする請求項６記載の端末装置。
【請求項８】
前記対象物が受信メールである場合、前記リストには少なくとも送信者、受信日、件名が表示されることを特徴とする請求項１記載の端末装置。
【請求項９】
前記対象物がスケジュールである場合前記リストには日時、時刻、内容を示すアイコンが表示されることを特徴とする端末装置。
【請求項１０】
前記対象物が画像である場合、前記リストには撮影日、タイトル、当該画像が格納されているアドレスが表示されることを特徴とする端末装置。
【請求項１１】
自端末は携帯電話機であることを特徴とする請求項１記載の端末装置。
【発明の詳細な説明】
【０００１】
【発明の属する技術分野】
本発明は、携帯電話機などの端末装置の関するものであり、特に、遠隔制御によって情報を取り出すことができる端末装置に関するものである。
【０００２】
【従来の技術】
従来、携帯電話機を自宅に置き忘れて外出した場合に、出先から遠隔操作によって携帯電話機に録音されている伝言メモや未読メールを転送して確認することができる携帯電話機が知られている（例えば、特許文献１参照）。
【０００３】
【特許文献１】
特開２００２−２３２５５７号公報（第７欄段落００３８、００３９、図２）
【０００４】
【発明が解決しようとする課題】
しかしながら、従来のこの種の携帯電話機は単に遠隔制御によって伝言メモや未読メールを転送して確認すると言ったものであるので、次のような場合に使い勝手が悪い。例えば携帯電話機を二台持っていて、その内の一台（プライベート用）を持参し、他の一台（仕事用）を自宅に置いて外出した場合には、仕事用の携帯電話機に多量のメールが受信されることがある。このような場合に、外出先から一台目の携帯電話機を用いて、遠隔操作で二台目の携帯電話機で受信された未読メールを転送して確認する場合、上記従来の携帯電話機では受信メールの量が多いとと効率的にメール内容の確認ができないという課題がある。
【０００５】
本発明は、上記の課題を解決するためになされたもので、効率的に受信メールやスケジュールなどを確認することができる端末装置を提供することを目的する。
【０００６】
【課題を解決するための手段】
上記の課題を解決するために、本発明は、メールを送受信する端末装置であって、メール受信手段と、受信メール中にコマンド宣言文があるか否かを判定する判定手段と、この判定手段による判定が肯定的であった場合に前記コマンド宣言文に続く特定コマンドを抽出し、解釈する手段と、前記特定コマンドが対象物のリスト作成であった場合、自メモリ内の該当する対象物のリストを作成する作成手段と、この作成手段により作成されたリストをメール本文とし、要求者を宛先とするメールを作成し発信するメール送信手段とを備えることを特徴とする。
【０００７】
また、本発明は、前記コマンド宣言文にパスワードが付帯し、前記判定手段が肯定的であった場合、前記パスワードを検出し、自端末所有のパスワードと比較する比較手段と、比較の結果パスワードが一致した場合に前記特定コマンドを抽出し、解釈する手段の処理を許可する許可手段と、を備えることを特徴とする。
また、本発明は、前記コマンド宣言文は、メール文書とは異なるユニークな文字列であり、前記特定コマンドは、対象物の格納場所、対象物の種類、実行すべき処理からなる命令行であることを特徴とする。
【０００８】
また、本発明は、前記要求者が前記メールのリストを確認して再送信してきた特定コマンドが前記リスト中の特定物の送信要求であった場合、自メモリ内の該当する対象物から送信要求された特定物を読み出し、読み出された特定物をメール本文とし、要求者を宛先とするメールを作成して送信することを特徴とする。
また、本発明は、前記要求者が前記メールのリストを確認して再送信してきた特定コマンドが前記リスト中の特定物の削除要求であった場合、自メモリ内の該当する対象物から削除要求された特定物を削除することを特徴とする。
【０００９】
さらに、本発明は、前記削除が完了した旨を示す内容を本文とし、要求者を宛先とするメールを作成して送信することを特徴とする。
【００１０】
【作用】
本発明によれば、例えば、外出先の端末装置から、受信メールなどのリスト作成要求を自宅の端末装置にすることにより、作成されたリストを受信して、多くの受信メールを大まかに知ることができる。そして、必要に応じて特定の受信メールなどの詳細な内容も取り出すことができるので、効率的に受信メールを遠隔地からでも確認することができる。また、特定の受信メールなどの削除も遠隔地から行うことができる。
【００１１】
【発明の実施の形態】
以下、本発明の実施の形態について図面を参照しながら説明する。
図１において、１は自宅に置き忘れられた携帯電話機、２は携帯されている携帯電話機、３は事務所などに設置されているパソコン、４はネットワーク、５はこれら携帯電話機１、２及びパーソナルコンピュータ３が契約しているメールサーバである。
【００１２】
携帯電話機１を例えば業務用に使用している場合、この携帯電話機１に多量のメールが外部より入ることがある。このメールを外部から、遠隔操作でチェックするために、本発明では、携帯電話機１にコマンド宣言文と認証用のパスワードと、これに続く特定コマンドとからなる信号を外部の携帯電話機２またはパーソナルコンピュータ３から送る。前記コマンド宣言文は、メール文書とは異なるユニークな文字列であり、前記特定コマンドは、対象物の格納場所、対象物の種類、実行すべき処理からなる命令行である。なお、コマンド宣言文の文字列には文書のほか単なる星印などの記号も含まれるものとする。
【００１３】
この信号を携帯電話機１で受信し、受信された信号に基き上記多量の受信メールを最新のものから所定件数（例えば３０件）編集してリストを作成する。そして、このリストを携帯電話機２またはパーソナルコンピュータに３に送る。携帯電話機２、パーソナルコンピュータ３側では、送られてきたリストをチェックして、必要な情報を得るために再び、所定の信号を携帯電話機１に送る。携帯電話機１は受信した信号に基き要求されたメールを携帯電話機２またはパーソナルコンピュータ３に転送する。
【００１４】
このようにして、外部から必要な情報を効率的に取り出すことができる。受信メールだけでなく携帯電話機１に記憶されている撮影した写真や他人から受信した写真などの画像あるいは、記憶されている使用者のスケジュールなどを対象とすることもできる。
上記リストは例えば、図３、４、５に示される如きものである。即ち、図３は受信メールのリストであり、「未読・既読」、「相手」、「受信日」、「件名」の情報が３０件分載せられている。もちろん「未読」のみのリストとしてもよい。図４はスケジュールのリストであり、「日付」、「時刻」、「アイコン」の情報が３０件分載せられている。「アイコン」は当該スケジュールの内容を示す絵である。図５は画像のリストであり、「撮影日時」、「タイトル」、「アドレス」の情報が３０件分載せられている。時分が撮影したものは撮影フォルダに、外部から送られてきたものはユーザフォルダに格納される。なお、外部から送信されてきた画像について、「撮影日時」とはその画像を自分の携帯電話機１に記憶した日時をいう。
【００１５】
図６はメールのシーケンスチャートであり、携帯電話機２と携帯電話機１とのメールのやり取りを示している。携帯電話機２が携帯電話機１に最初に送信する信号１４は上述のコマンド宣言文と認証用のパスワードと、これに続く特定コマンドとからなる信号であり、図６ではコマンド宣言文は「Ｍｏｂｉｌｅ−Ｉｎｆｏｒｍａｔｉｏｎ−Ｃｏｎｔｒｏｌ」、パスワードは「１２３４ａｂｃｄｅ」、特定コマンドは「ｌｉｓｔ，ｍａｉｌ，ｒｘ，ｎｅｗ，ｌｅ；」として示されている。
【００１６】
上記「ｌｉｓｔ」はリストを作成して送付することを指示する情報、「ｍａｉｌ」は受信メール、「ｒｘ」は受信メールが記憶されているボックス、「ｎｅｗ」は最新のもの、「ｌｅ」は３０番目をそれぞれ意味し、全体として、受信メールボックスに存在する受信メールを最新のものから３０件リストにして送って欲しいという要求を意味する命令行である。
【００１７】
携帯電話機１は図３のリストを作成して携帯電話機２に送信（図６の１５）する。次に、受信したリストを見て、特定のメールを送信するよう携帯電話機２は携帯電話機１に要求する。その信号は、例えば、図６の１６に示すもので、宣言文「Ｍｏｂｉｌｅ−Ｉｎｆｏｒｍａｔｉｏｎ−Ｃｏｎｔｒｏｌ」、パスワード「１２３４ａｂｃｄｅ」は上記１４と同じであり、特定コマンドは「ｒｃｖ，ｍａｉｌ，ｒｘ，ｌｅ、ｙｙｙｍｍｄｄ．ｈｈ：ｍｍ：ｓｓ；」である。特定コマンドは３０番目のメールを送って欲しいという内容である。
【００１８】
携帯電話機１はこの信号を受信し、図６の１７に示すように３０番目のメールを読み出して、携帯電話機２に転送する。特定メールの削除を要求したい場合には、例えば、「Ｍｏｂｉｌｅ−Ｉｎｆｏｒｍａｔｉｏｎ−Ｃｏｎｔｒｏｌ，１２３４ａｂｃｄｅ，ｄｅｌ，ｍａｉｌ，ｒｘ，３，ｙｙｙｍｍｄｄ．ｈｈ：ｍｍ：ｓｓ；」と言う要求信号を送ればよい。これはリストにある３番目のメールを削除して欲しいという要求を意味している。
【００１９】
図７は携帯電話機１に格納されているスケジュールを対象物とした場合のシーケンスチャートである。図４に示すスケジュールリスト（最も時間的に近いスケジュールから３０件）を作成し、これを携帯電話機２に送信して、携帯電話機が２が受信したリストの中の１０番目のスケジュールを送るよう要求している例である。
【００２０】
図８は携帯電話機１に格納されている画像を対象物とした場合のシーケンスチャートである。図５に示す画像リスト（最新のものからから３０件）を作成し、これを携帯電話機２に送信して、携帯電話機２が受信したリストの中の５番目の画像を送るよう要求している例である。
図２は本発明の実施の形態に係る携帯電話機（端末装置）のブロック図である。図２に示すように、この携帯電話機は送受信アンテナ６、信号の送受信を行う送受信部７と、全体を制御する制御部８と、使用者がキー入力操作を行う操作部９と、データを記憶するデータ記憶部１０と、データを表示する表示部１１と、スピーカ１２及びマイクロフォン１３とからなる。
【００２１】
送受信部７にはメールを受信するメール受信部とメールを送信するメール送信部が存在する。データ記憶部１０には制御部８を処理する処理プログラム、受信メール、送信メールを格納したメールボックス、使用者の予定を書き込んだスケジュールフォルダー、写真などの画像を格納した画像フォルダなどが存在する。前記処理プログラムの中には本発明特有の処理プログラムも存在する。
【００２２】
次に、図９〜１３を用いて、図２に示す装置の処理、特に制御部８の処理につき、図６〜８に示す場合を例として説明する。
まず、図９に示すように、携帯電話機１がメールを受信したか否かを判定し（Ｓ０１）、受信していないならば待ち受け状態を継続し、メールを受信すると次のステップに移る。メールが受信されると、メール本文の検索が行われ（Ｓ０２）、その中にコマンド宣言文があるか否かがチェックされる（Ｓ０３）。コマンド宣言文が無いと通常のメール受信として処理される（Ｓ０４）。コマンド宣言文が存在すると、次にパスワードが携帯電話機１のパスワードと一致するか判断される（Ｓ０５）。パスワードが一致しないと通常のメール受信として処理される（Ｓ０４）。パスワードが一致していると次のステップ（Ｓ０６）において、処理内容が何であるかが解釈される。
【００２３】
処理内容はリスト処理のステップ（Ｓ０７）、送信処理のステップ（Ｓ０８）、削除処理のステップ（Ｓ０９）、その他処理のステップ（Ｓ１０）に分けられる。処理内容がリスト処理（Ｓ０７）の場合、図１０のステップ（Ｓ１１）で対象物が何であるかチェックされる。対象物が受信メールである場合、データ記憶部１０に存在する受信メールボックスから、受信メールを取り出し、要求に従って最新の受信メールから３０件を編集して図３に示す受信メールリストを作成する（Ｓ１２）。そして、この受信メールリストをメール本文とし、要求者を宛先とするメールを作成する（Ｓ１３）。作成されたメールは送受信部７、アンテナ６を介して携帯電話機２にネットワーク４、メールサーバ５を介して送信される（Ｓ１４）。
【００２４】
対象物がスケジュールの場合には、ステップ（Ｓ１５）に於いてスケジュールの編集が行われ、図４のスケジュールリストが作成され、ステップ（Ｓ１６）でメールが作成され、ステップ（Ｓ１７）で送信される。対象物が画像の場合にもステップ（Ｓ１８）（Ｓ１９）（Ｓ２０）で同様の処理が行われる。
携帯電話機２側では送られてきたリストを見て、必要と思われるデータの送付を要求する。この場合、ステップ（Ｓ０６）までは同じ処理となるが、ステップ（Ｓ０６）に置ける解釈は送信処理（例えば、図６の１６における「ｒｃｖ」がこれを示す。）この送信処理（Ｓ０８）について説明する。
【００２５】
図１１に示すように、ステップＳ２１で対象物が何であるか解釈される。対象物が受信メールである場合、要求された受信メール（特定物）（図６の１６に示されるリスト中の３０番目の受信メール）をデータ記憶部１０の受信メールボックスから読み出す（Ｓ２２）。読み出された受信メールをメール本文とし、要求者を宛先とするメールを作成する（Ｓ２３）。このメールは要求者の携帯電話機２に転送される（Ｓ２４）。
【００２６】
対象物がスケジュールの場合、同様にしてデータ記憶部１０のスケジュールフォルダから要求されたスケジュール（特定物）を読み出し（Ｓ２５）、メールを作成し（Ｓ２６）、要求者側の携帯電話機２に送信する（Ｓ２７）。
対象物が画像の場合も同様にして、要求された画像（特定物）をデータ記憶部１０の画像フォルダから読み出し（Ｓ２８）、メールを作成し（Ｓ２９）、これを要求者に転送する（Ｓ３０）。なお、画像はメール本文の添付物としても良い。
【００２７】
ステップ（Ｓ０６）の解釈が削除処理（Ｓ０９）であった場合（上述の削除要求信号中の「ｄｅｌ」から削除要求であることを確認する。）の処理につき図１２を用いて説明する。図１２に示すように、ステップＳ３１で対象物が何であるか解釈される。対象物が受信メールである場合、リストを見て削除要求された受信メール（例えば特定物であるリストの３番目の受信メール）をデータ記憶部１０の受信メールボックスより削除する（Ｓ３２）。削除処理が完了したことを示す内容をメール本文とし、要求者を宛先とするメールを作成する（Ｓ３３）。このメールは要求者の携帯電話機２に転送される（Ｓ３４）。
【００２８】
対象物がスケジュールの場合、同様にしてデータ記憶部１０のスケジュールフォルダから要求されたスケジュール（特定物）を削除する（Ｓ３５）、削除完了のメールを作成し（Ｓ３６）、要求者側の携帯電話機２に送信する（Ｓ３７）。対象物が画像の場合も同様にして、要求された画像をデータ記憶部１０の画像フォルダから削除し（Ｓ３８）、削除完了のメールを作成し（Ｓ３９）、これを要求者に転送する（Ｓ４０）。
【００２９】
次に、ステップ（Ｓ０６）の解釈がその他処理（Ｓ１０）であった場合は、図１３に示すように、その他の処理があるか否かをステップ（Ｓ４１）で判断し、ＹＥＳであればステップ（Ｓ４２）所定の処理を行う。ＮＯであれば、携帯電話機１の表示画面にエラー表示を行う。
上記説明では対象物として、受信メール、スケジュール、画像を用いたが、これらに限定されること無く、送信メール、電話帳、音声着信履歴、音声発信履歴、位置情報なども、本発明の対象物とすることができる。
【００３０】
また、上記説明では、携帯電話機と携帯電話機とのやり取りを例にして説明したが、一方がパーソナルコンピュータなどの端末装置の場合でも良いし、両方がパーソナルコンピュータなどの端末装置の場合でも良い。
さらに、上述の携帯電話機２のような場合には、予めコマンド宣言文、パスワード、特定コマンドを記憶させ、必要に応じて使用すればよいが、携帯電話機２の代わりに事務所のパーソナルコンピュータを用いた場合には、いちいちコマンド宣言文、パスワード、特定コマンドを入力しなければならない。このような不便さをなくすために、予めメモリカードなどの携帯メモリにコマンド宣言文、パスワード、特定コマンドを記憶させておき、必要に応じてこれをパーソナルコンピュータに読み込ませて使用するようにしても良い。
【００３１】
【発明の効果】
以上説明したように本発明はメールを送受信する端末装置であって、メール受信手段と、受信メール中にコマンド宣言文があるか否かを判定する判定手段と、この判定手段による判定が肯定的であった場合に前記コマンド宣言文に続く特定コマンドを抽出し、解釈する手段と、前記特定コマンドが対象物のリスト作成であった場合、自メモリ内の該当する対象物のリストを作成する作成手段と、この作成手段により作成されたリストをメール本文とし、要求者を宛先とするメールを作成し発信するメール送信手段とを備えることを特徴とする端末装置であり、、例えば、外出先の端末装置から、受信メールなどのリスト作成要求を自宅の端末装置にすることにより、このリストを受信して、多くの受信メールなどを大まかに知ることができ、効率的に受信メールなどをチェックすることができる。
【００３２】
また、本発明は、前記要求者が前記メールのリストを確認して再送信してきた特定コマンドが前記リスト中の特定物の送信要求であった場合、自メモリ内の該当する対象物から送信要求された特定物を読み出し、読み出された特定物をメール本文とし、要求者を宛先とするメールを作成して送信することを特徴とする端末装置であり、必要に応じて特定の受信メールなどの詳細な内容も取り出すことができるので、効率的に受信メールなど遠隔地からでも詳細に知ることができる。
【００３３】
さらに、本発明は、前記要求者が前記メールのリストを確認して再送信してきた特定コマンドが前記リスト中の特定物の削除要求であった場合、自メモリ内の該当する対象物から削除要求された特定物を削除することを特徴とする端末装置であり、特定の受信メールなどの削除も遠隔地から行うことができる。
【図面の簡単な説明】
【図１】本発明の説明のための概略システム図である。
【図２】本発明の一実施例における端末装置のブロック図である。
【図３】本発明の実施例における端末装置の受信メールリストを示す図である。
【図４】本発明の実施例における端末装置のスケジュールリストを示す図である。
【図５】本発明の実施例における端末装置の画像リストを示す図である。
【図６】本発明の実施例における端末装置の受信メールの場合のシーケンスチャートである。
【図７】本発明の実施例における端末装置のスケジュールの場合のシーケンスチャートである。
【図８】本発明の実施例における端末装置の画像の場合のシーケンスチャートである。
【図９】本発明の実施例における端末装置の処理を説明するためのフローチャートである。
【図１０】本発明の実施例における端末装置のリスト処理を説明するためのフローチャートである。
【図１１】本発明の実施例における端末装置の送信処理を説明するためのフローチャートである。
【図１２】本発明の実施例における端末装置の削除処理を説明するためのフローチャートである。
【図１３】本発明の実施例における端末装置のその他処理を説明するためのフローチャートである。
【符号の説明】
１      携帯電話機
２      携帯電話機
３      パーソナルコンピュータ
７      送受信部
８      制御部
９      操作部
１０    データ記憶部
１１    表示部
【図１】
2005027057.tif 000003
【図２】
2005027057.tif 000004
【図３】
2005027057.tif 000005
【図４】
2005027057.tif 000006
【図５】
2005027057.tif 000007
【図６】
2005027057.tif 000008
【図７】
2005027057.tif 000009
【図８】
2005027057.tif 000010
【図９】
2005027057.tif 000011
【図１０】
2005027057.tif 000012
【図１１】
2005027057.tif 000013
【図１２】
2005027057.tif 000014
【図１３】
2005027057.tif 000015